(57)【要約】      （修正有）【課題】高い精度で帯状のファイバの位置を決定し、ファイバアレイにおけるファイバごとの位置を保証し、光導波路デバイスと光結合とを合わせる際の損失を大きく減少させる、ファイバアレイ装置を提供する。【解決手段】ファイバアレイ装置はファイバアレイユニット１０を含み、ファイバアレイユニットは複数の基板１１、側板１２及び複数のファイバ１３を備え、複数の基板は順に接続され、各基板は対向して設置されている第一表面と第二表面を備え、第一表面上には複数の規則的に設置された収容溝１１３が設置されており、側板と辺縁に位置する基板の第一表面とは互いに接続されており、各ファイバの一端は対応する収容溝中に固定される。【選択図】図４
2019219637.tif 000002
【特許請求の範囲】
【請求項１】
ファイバアレイユニットを含み、前記ファイバアレイユニットは複数の基板、側板及び複数のファイバを備え、複数の前記基板は順に接続され、各基板は対向して設置されている第一表面と第二表面とを備え、前記第一表面上には複数の規則的に設置された収容溝が設置されており、前記側板は辺縁に位置する前記基板の第一表面と互いに接続され、各ファイバの一端が、対応する前記収容溝中に固定されているファイバアレイ装置。
【請求項２】
複数の前記基板は互いに平行であり、前記各基板上の複数の前記収容溝は等間隔に設置されており、各収容溝はＶ字状を呈していることを特徴とする請求項１に記載のファイバアレイユニット装置。
【請求項３】
前記各ファイバの一端は、接着剤により、対応する前記収容溝中に固定されることを特徴とする請求項１に記載のファイバアレイユニット装置。
【請求項４】
前記各基板の前記第一表面または前記第二表面上にはさらに少なくとも一つの位置決め溝が設置されており、前記位置決め溝は接着剤を収容するのに用いられ、複数の前記基板と前記側板を互いに接続することを特徴とする請求項１に記載のファイバアレイユニット装置。
【請求項５】
前記各基板上の前記位置決め溝の数量は２個であり、２個の前記位置決め溝はそれぞれ複数の前記収容溝の両側に設置され、前記位置決め溝は矩形を呈し、且つ前記位置決め溝の幅は前記収容溝より広いことを特徴とする請求項４に記載のファイバアレイ装置。
【請求項６】
前記第二表面は平面であり、前記側板に接続されている前記基板以外の残りの前記基板の第一表面は何れも、隣り合う前記基板の前記第二表面に互いに接続され、前記基板上の前記収容溝と対応する前記ファイバは隣り合う前記基板の前記第二表面にカバーされることを特徴とする請求項１に記載のファイバアレイ装置。
【請求項７】
前記ファイバアレイ装置はさらにパッケージプレートを備え、前記パッケージプレートの中部には矩形の通孔が設けられており、前記通孔の側壁上には階段部が設置されており、複数の前記基板と前記側板は前記階段部上に設置されることを特徴とする請求項１に記載のファイバアレイ装置。
【請求項８】
前記ファイバアレイ装置はさらに間隔プレートとプリズムプレートを備え、前記間隔プレートは前記パッケージプレートの前記ファイバアレイユニットから離れた側に固定され、前記プリズムプレートは、前記間隔プレートを介して前記パッケージプレートと互いに接続されることを特徴とする請求項７に記載のファイバアレイ装置。
【請求項９】
前記ファイバアレイ装置はさらに、前記ファイバアレイユニットと前記パッケージプレートとの間に位置する第一接着層と第二接着層を備え、前記第一接着層は矩形のフレーム状を呈し、並びに前記ファイバアレイ装置の辺縁を囲み、前記第二接着層は平板状を呈し、並びに前記パッケージプレートの前記間隔プレートから離れる側に位置することを特徴とする請求項８に記載のファイバアレイ装置。
【請求項１０】
前記ファイバアレイ装置はさらに保護カバーを備え、前記保護カバーは前記パッケージプレート上に固定され、且つ複数の前記ファイバを囲んで設置されていることを特徴とする請求項７に記載のファイバアレイ装置。
【発明の詳細な説明】
【技術分野】
【０００１】
本発明は、ファイバ通信装置に関し、特にファイバアレイ装置に関するものである。
【背景技術】
【０００２】
ファイバアレイユニット（Ｆｉｂｅｒ  Ａｒｒａｙ  Ｕｎｉｔ）は主に光通信装置の導入及び導出に用いられ、平面光波回路ＰＬＣ、光モジュール等ファイバアレイ装置における重要な部材であり、大量にデータセンター、軍事通信、コンシューマエレクトロニクス等の光モジュールに応用される。ファイバアレイユニットは高い精度で帯状のファイバの位置を決定し、ファイバアレイにおけるファイバごとの位置を保証し、光導波路デバイスと光結合とを合わせる際の損失を大きく減少させる。
【０００３】
従来のファイバアレイユニットは、通常は、ファイバ位置決め溝が設けられた基板、及び基板上を覆うカバーを備える。基板とカバーとの間にはアレイ状に並んだ複数のファイバがある。各ファイバは、それぞれ対応するファイバ位置決め溝中に設置される。しかしながら、従来のファイバアレイユニットは、単列の基板及びカバーを備えるだけであり、且つ芯数は２〜６４本の間である。芯数の要求が６４本を越えた場合、この種のファイバアレイユニットは要求を満たすことが難しい。
【発明の概要】
【発明が解決しようとする課題】
【０００４】
以上の問題点に鑑みて、本発明は、複数の芯に対する要求を満たすことができるファイバアレイ装置を提供することを目的とする。
【課題を解決するための手段】
【０００５】
本発明はファイバアレイ装置を提供する。このファイバアレイ装置は、ファイバアレイユニットを含み、ファイバアレイユニットは、複数の基板、側板及び複数のファイバを備え、複数の基板は順に接続され、各基板は対向して設置された第一表面と第二表面とを備え、第一表面上には複数の規則的に設置された収容溝が設置されており、側板と辺縁に位置する基板の第一表面とは互いに接続されており、各ファイバの一端は、対応する収容溝中に固定される。
【発明の効果】
【０００６】
前記ファイバアレイ装置中のファイバアレイユニットは、複数の基板、側板及び複数のファイバを備え、各基板には複数の収容溝が設置されており、各ファイバの一端は、対応する収容溝中に固定される。複数の基板が順に接続されているため、積み重ねて設置されており、辺縁に位置する基板の第一表面と側板とは互いに接続されており、残りの各基板の第一表面と基板に隣り合う第二表面とは互いに接続されている。したがって、基板上の収容溝と対応するファイバは、基板に隣り合う第二表面にカバーされている。よって、各基板は何れも基板に隣り合うカバープレートとして使用できるため、複数の基板に別途カバーを設置する必要がない。ファイバアレイ装置は、複数の芯のファイバアレイの要求を満たすことができ、ファイバアレイの密度を向上し、空間を節約できる。
【図面の簡単な説明】
【０００７】
【図１】図１は本発明が提供する実施方法のファイバアレイ装置の立体斜視図である。
【図２】図２は図１に示すファイバアレイ装置の立体分解斜視図である。
【図３】図３は図１に示すファイバアレイ装置の別の角度から見た立体分解斜視図である。
【図４】図４は図１に示すファイバアレイ装置中のファイバアレイユニットの立体斜視図である。
【図５】図５は図４に示すファイバアレイユニットを上から見た図である。
【図６】図６は図４に示すファイバアレイユニットにおける基板の立体斜視図である。
【発明を実施するための形態】
【０００８】
以下、図面を参照しながら、本発明の実施例中の技術方案に対して、正確に且つ完全に説明する。しかしながら、説明する実施例は本発明の一部の実施例にすぎず、全ての実施例ではない。本発明中の実施例に基づいて、当業者が創造的な労働を必要とせずとも取得できる全てのその他の実施例も、本発明の保護範囲に属する。
【０００９】
本文の説明において、一つのある部材が別の部材に「接続される」という場合、その部材は、別の部材に直接接続されたものであってもよいし、同時に何かの中に設置された部材であってもよい。また、一つのある部材が別の部材に「設置されている」という場合、その部材は、別の部材に直接設置されているものであってもよいし、同時に何かの中に設置された部材であってもよい。
【００１０】
別段の定義がない限り、本文で使用される全ての技術及び科学技術用語は、本発明の当業者が通常理解できる意味と同じである。本文において、本発明の明細書中で使用されている技術用語は、ただ具体的に実施例の目的を説明するためであり、本発明を限定するものではない。本文で使用されている「及び／または」は一つ或いは複数の関連する項目の任意の組み合わせ及び全ての組み合わせを含む。
【００１１】
図１を参照すると、本発明はファイバアレイ装置１００を提供する。このファイバアレイ装置１００は、ファイバアレイユニット１０、パッケージプレート２０、保護カバー３０、間隔プレート４０及びプリズムプレート５０を備える。ファイバアレイユニット１０はパッケージプレート２０上に固定され、保護カバー３０はファイバアレイユニット１０の周囲を囲んで設置されている。間隔プレート４０及びプリズムプレート５０はパッケージプレート２０のファイバアレイユニット１０から離れた側に固定されている。
【００１２】
図２及び図３を参照すると、パッケージプレート２０は矩形を呈している。パッケージプレート２０の中部には矩形の通孔２１が設けられている。通孔２１はファイバアレイユニット１０を貫通するのに用いられる。通孔２１の内側壁上には、階段部２１１が設けられており、ファイバアレイユニット１０は階段部２１１上に設置される。
【００１３】
保護カバー３０はパッケージプレート２０上に固定され、並びにファイバアレイユニット１０のファイバを囲んで設置されて、ファイバが折れるのを防止する。保護カバー３０は保護フレーム３１及び保護フレーム３１に接続された保護プレート３２を備える。保護フレーム３１は略Ｕ字型のフレーム状であり、保護プレート３２は矩形のプレート状である。その他の実施例において、保護カバー３０はその他の形状であってもよい。例えば、保護カバー３０は二つの略Ｕ字型を呈する保護フレームであってもよい。
【００１４】
間隔プレート４０は矩形のフレーム状を呈している。間隔プレート４０は、パッケージプレート２０のファイバアレイユニット１０から離れた側に固定される。プリズムプレート５０は、間隔プレート４０を介してパッケージプレート２０と互いに接続される。
【００１５】
本実施例において、ファイバアレイユニット１０は接着剤によりパッケージプレート２０上に固定される。したがって、ファイバアレイ装置１００はさらにファイバアレイユニット１０とパッケージプレート２０との間に位置する第一接着層６１と第二接着層６２とを備える。第一接着層６１は矩形のフレーム状を呈している。第一接着層６１は、階段部２１１上に並びにファイバアレイ装置１００の辺縁を囲んで設置される。具体的には、第一接着層６１は複数の基板１１及び側板１２の縁を囲んでいる。第二接着層６２は平板状を呈している。第二接着層６２は、パッケージプレート２０の間隔プレート４０から離れた側に位置する。
【００１６】
図４及び図６を併せて参照すると、ファイバアレイユニット１０は複数の基板１１、側板１２及び複数のアレイ設置されたファイバ１３を備える。
【００１７】
複数の基板１１は互いに平行に且つ順に接続されている。したがって、複数の基板１１は一列に積み重ねられている。各基板１１は、対向して設置されている第一表面１１１と第二表面１１２を備える。第二表面１１２は平面である。第一表面１１１上には複数の収容溝１１３及び二つの位置決め溝１１４が設けられている。
【００１８】
複数の収容溝１１３は規則的に設置されている。本実施例において、複数の収容溝１１３は等間隔に設置されている。各収容溝１１３はＶ字状を呈している。各収容溝１１３は対応する一つのファイバ１３を収容する。その他の実施方法において、収容溝１１３は円形、矩形またはその他の形状であってもよい。
【００１９】
二つの位置決め溝１１４はそれぞれ基板１１の両端に設置されており、且つ複数の収容溝１１３の両側に位置する。本実施例において、位置決め溝１１４は矩形を呈し、且つ
位置決め溝１１４の幅は収容溝１１３の幅より広い。その他の実施方法において、位置決め溝１１４も、Ｖ字状、円形、またはその他の形状であってもよい。位置決め溝１１４は接着剤を収容するのに用いられ、隣り合う基板１１を互いに接続する、または基板１１と側板１２とを互いに接続する。したがって、複数の基板１１と側板１２は共に接続される。
【００２０】
側板１２はストリップ状を呈している。側板１２は、複数の基板１１の側に位置し、基板１１の側の一つの基板１１と互いに接続されている。複数の基板１１と側板１２は互いに接続され、且つパッケージプレート２０の階段部２１１上に設置される。
【００２１】
複数のファイバ１３は、それぞれ基板１１の収容溝１１３中に位置する。本実施例において、各ファイバ１３の一端は、接着剤により対応する収容溝１１３中に固定される。収容溝１１３の幅はファイバ１３の直径より大きい。したがって、ファイバ１３の端部は、対応する収容溝１１３中に完全に収容することができる。
【００２２】
複数の基板１１は互いに積み重ねられているので、側板１２に接続されている基板１１以外の、残りの各基板１１の第一表面は何れも、基板１１に隣り合う第二表面１１２に互いに接続される。したがって、基板１１上の収容溝１１３及び対応するファイバ１３は基板１１に隣り合う第二表面１１２にカバーされる。
【００２３】
本実施例において、基板１１の数量は２０個である。各基板１１上の収容溝１１３の数量は２０個である。したがって、ファイバアレイユニット１０は４００個のファイバを設置でき、従来のファイバアレイユニット中のファイバの数量を大幅に超えている。基板１１の数量及び各基板１１上の収容溝１１３の数量は要求に基づいて設置できる。
【００２４】
ファイバアレイ装置１００中のファイバアレイユニット１０は、複数の基板１１、側板１２及び複数のファイバ１３を備える。各基板１１上には複数の収容溝１１３が設置されており、各ファイバ１３の一端は対応する収容溝１１３中に固定されている。複数の基板１１が積み重ねて設置されているため、辺縁に位置する基板１１の第一表面１１１と側板１２とは互いに接続されており、残りの各基板１１の第一表面１１１と基板１１に隣り合う第二表面は互いに接続されている。よって、基板１１上の収容溝１１３及び対応するファイバ１３は基板１１に隣り合う第二表面１１２にカバーされている。したがって、各基板１１は何れも基板１１に隣り合うカバーとして使用できるため、複数の基板１１に別途カバーを設置する必要がない。前記ファイバアレイ装置１００は、複数の芯のファイバアレイの要求を満たすことができ、ファイバアレイの密度を向上し、空間を節約できる。
【００２５】
本実施例において、接着剤はＵＶ硬化型接着剤である。その他の実施例において、接着剤は熱硬化型接着剤またはその他の接着剤であってもよい。
【００２６】
その他の実施例において、位置決め溝１１４は基板１１の第二表面１１２上に設置してもよい。
【００２７】
その他の実施例において、各基板１１上の位置決め溝１１４の数量は一つまたは二つ以上であってもよい。
【００２８】
その他の実施例において、第一接着層６１と第二接着層６２がそれぞれ複数の基板１１の両側であれば、第一接着層６１と第二接着層６２はその他の形状であってもよい。
【００２９】
その他の実施例において、複数の収容溝１１３は等間隔に設置されなくてもよい。または、一部の収容溝１１３の間隔のみが等しくてもよい。
【００３０】
その他の実施例において、複数の基板１１上の収容溝１１３は交差して設置されてもよい。
【００３１】
その他の実施例において、基板１１に隣り合う収容溝１３をカバーする一部が平面であれば、基板１１の第二表面１１２は一部が平面であってもよい。
【００３２】
以上のことから、本発明は特許要件を満たしており、特許法に基づいて出願する。上記の記載は単なる本発明の実施形態であって、本願の出願範囲を限定することはできない。当業者は本発明の精神に基づき補正または変更を行う際は、後に記載する特許請求の範囲内でなければならない。
【符号の説明】
【００３３】
１０  ファイバアレイユニット
１１  基板
１２  側板
１３  ファイバ
２０  パッケージプレート
２１  通孔
３０  保護カバー
３１  保護フレーム
３２  保護プレート
４０  間隔プレート
５０  プリズムプレート
６１  第一接着層
６２  第二接着層
１００  ファイバアレイ装置
１１１  第一表面
１１２  第二表面
１１３  収容溝
１１４  位置決め溝
２１１  階段部
【図１】
2019219637.tif 000003
【図２】
2019219637.tif 000004
【図３】
2019219637.tif 000005
【図４】
2019219637.tif 000006
【図５】
2019219637.tif 000007
【図６】
2019219637.tif 000008